(57)【要約】  【課題】    皮膚の一部と、それに近接する他の部分との間を引っ張るストレッチ・テープ２において、引っ張り力（ストレッチ力）を強める。  【解決手段】テープ基材４と、該テープ基材４の裏面に形成され、該テープ基材４と皮膚とを着脱可能に貼り付ける接着層６と、を有し、接着層６は上記テープ基材４の両端部４ａ、４ａに形成され、中間部４ｂが接着層の非形成領域とされてなる。  【効果】    テープ基材４裏面の接着層６が、テープ基材４の両端部４ａ、４ａに形成され、中間部４ｂには接着層がよくが形成されていないので、中間部４ｂの接着層６によって引っ張り力（ストレッチ力）が弱められることがなくなり、従来よりもストレッチ・テープによる引っ張り力（ストレッチ力）を強めることができる。【選択図】    図１
0003129284.tif 000002
【実用新案登録請求の範囲】
【請求項１】
皮膚の一部と、それに近接する他の部分との間を引っ張るストレッチ・テープにおいて、
テープ基材と、
上記テープ基材の裏面に形成され、テープ基材と皮膚とを着脱可能に貼り付ける接着層と、
を有し、
上記接着層は上記テープ基材の両端部に形成され、中間部が接着層の非形成領域とされた
ことを特徴とするストレッチ・テープ。
【考案の詳細な説明】
【技術分野】
【０００１】
本考案は、皮膚の一部と、それに近接する他の部分との間を引っ張る、テープ基材の裏面に接着層を形成したストレッチ・テープ、例えば、医療或いは美容のために顔面の皮膚の任意のエリアに緊張力を与えるために皮膚に接着されて皮膚をストレッチするストレッチ・テープに関するものである。
【背景技術】
【０００２】
テープ状の基材層の一方の裏面に接着層（粘着層）を形成した医療用乃至美容用テープが、特許第３５６２７６６号公報、特開平１０−３０４９３５号公報及び特開平１０−１４３０２６号公報によって紹介されている。
特許第３５６２７６６号公報により紹介されているのは、目頭もしくは目尻に引っ張る力が集中する形状であって、目と目の間の目頭に近接して、もしくは目の横の目尻近辺の皮膚を水平方向で、且つ一方向に引っ張って伸張することにより、目を切れ長にパッチリと整形することを特徴とする瞼整形用ストレッチ・テープである。
【０００３】
特開平１０−３０４９３５号公報に紹介されているのは、フィルムからなるテープ基材の裏面に粘着剤層を介して剥離剤を設けた二重瞼形成用テープである。
特開平９−１４３０２６に紹介されているのは、顔面に貼ることにより皺の矯正を行う顔皺矯正用貼付具であり、この貼付具はテープ状の基材層の裏面に粘着層を形成し、更にその粘着層の表面に被覆層を形成してなり、断面構造は上記各ストレッチ・テープと類似している。
【０００４】
ところで、上記従来のテープは、いずれも顔面等の表面に接着して所定の医療上或いは美容上の効果を得ようとするものであるが、一般に、皮膚のある部分とそれに近接する別のある部分とをテープで引っ張るようにテープを貼ることによりその効果を最も有効に得ることができる。
例えば、テープの一端を目尻にはり、他端を目尻の稍上にそのテープでその目尻を上に引っ張りって吊り上げるように貼ることにより、目尻の垂下を有効に矯正することができる。
【０００５】
また、両目の上にテープの１端を貼り、更に、その稍上にテープの他端を、その両目を吊り上げるように貼ることにより目全体を釣り上げることができ、それによって、視野を広くすることができるというような効果を得ることができると言える。
【特許文献１】特許第３５６２７６６号公報
【特許文献２】特開平１０−３０４９３５号公報
【特許文献３】特開平１０−１４３０２６号公報
【考案の開示】
【考案が解決しようとする課題】
【０００６】
しかしながら、従来の上記テープによれば、皮膚を引っ張る効果を充分に得ることができなかった。
その原因を追求したところ、従来のテープは、テープ基材の裏面全体に接着層（粘着層）が形成されているところに原因があることが判明した。
【０００７】
即ち、テープにより皮膚の二つの部分間を引っ張るには、テープの両端部を皮膚に接着させることが不可欠であるが、中間部を接着させることは不必要であるばかりでなく、逆にテープによる引っ張り力を弱める原因となる。しかるに、従来のテープは、上述したようにテープ基材の裏面全体に接着層（粘着層）が形成されていた。
従って、従来の上記テープによれば、皮膚を充分に引っ張る効果を得ることができなかったのである。
【０００８】
そこで、本考案は、このような問題を解決すべく為されたものであり、皮膚の一部と、それに近接する他の部分との間を引っ張るストレッチ・テープにおいて、引っ張り力（ストレッチ力）を強めることを目的とする。
【課題を解決するための手段】
【０００９】
本考案ストレッチ・テープは、皮膚の一部と、それに近接する他の部分との間を引っ張るストレッチ・テープにおいて、テープ基材と、該テープ基材の裏面に形成され、該テープ基材と皮膚とを着脱可能に貼り付ける接着層と、を有し、該接着層は上記テープ基材の両端部に形成され、中間部が接着層の非形成領域とされたことを特徴とする。
【考案の効果】
【００１０】
本考案ストレッチ・テープによれば、テープ基材裏面の接着層が、上記テープ基材の両端部に形成され、中間部には接着層が形成されていないので、中間部の接着層によって引っ張り力（ストレッチ力）が弱められることがなくなる。
従って、従来よりもストレッチ・テープによる引っ張り力（ストレッチ力）を強めることができる。
【考案を実施するための最良の形態】
【００１１】
本考案は、基本的にテープ基材と、該テープ基材の裏面に形成され、該テープ基材と皮膚とを着脱可能に貼り付ける接着層と、を有し、該接着層は上記テープ基材の両端部に形成され、中間部が接着層の非形成領域とされたものであり、テープ基材は例えばポリエステル等、伸縮性のあるフィルム状の樹脂からなり、その裏面には例えばアクリル製の粘着剤が接着層として形成されているが、飽くまでテープ基材の両端部のみにであり、中間部には接着層が形成されていない。
【００１２】
尚、テープ基材の接着層が形成された裏面には、全面的に又は接着層が形成された部分に選択的に剥離材を積層してもよい。
ストレッチ・テープの面形状は、細長の長方形状であってもよいし、三角形であってもよいし、瓢箪形の形状であってもよい等、形状や大きさに限定はない。皮膚の一部と、それに近接する他の部分との間を引っ張って皮膚の任意のエリアに緊張力を与え皮膚の弛みをなくす等、所望の医療上或いは美容上の効果を得るに適切であれば、どのような形状、大きさでであっても良い。
又、ストレッチ・テープは必ずしも透明であることは不可欠ではないが、主として顔面に使用されるものなので、美容用として使用する場合は当然に、医療用として使用する場合も透明であることが好ましいと言える。
【実施例１】
【００１３】
以下、本考案の詳細を図示実施例に基いて説明する。
図１（Ａ）、（Ｂ）は本考案ストレッチ・テープの一つの実施例を示すもので、（Ａ）はストレッチ・テープの平面図、（Ｂ）は断面図である。図２はそのストレッチ・テープの一つの使用例を示す図である。
図面において、２は本実施例のストレッチ・テープで、テープ基材４の裏面の両端部４ａ、４ａに粘着性を有する接着層６、６を形成し、更に、その裏面には剥離層８が積層されている。この剥離層８は裏面に全面的に積層されてもいいが、接着層６、６上のみに選択的に積層されるようにしてもいい。また、この剥離層８は必ずしも不可欠ではなく、形成しなくてもよい。
【００１４】
このストレッチ・テープ２はテープ基材４の中間部４ｂにおいては裏面には接着層６が形成されていない。即ち、接着層の非形成領域とされている。
このストレッチ・テープ２は、例えば図２に示すように目尻を引き上げるようにするために用いられる。即ち、ストレッチ・テープ２の一端を接着層６にて目尻に貼り付け、その状態でストレッチ・テープ２の他端を上に引っ張り、目尻を吊り上げ、緊張力を保った状態で皮膚にストレッチ・テープ２の他端を皮膚に貼り付けると、ストレッチ・テープ２によって目尻が上に吊り上げられた状態が保たれる。図２では、左右の目について目の吊り上げを行った状態を示している。
【００１５】
このストレッチ・テープ２は、テープ基材４裏面の接着層６が、テープ基材４の両端部４ａ、４aに形成され、中間部４ｂには接着層６が形成されていないので、中間部の接着層によって引っ張り力（ストレッチ力）が弱められるというようなことがなくなる。
従って、従来よりもストレッチ・テープによる引っ張り力（ストレッチ力）を強めることができる。
【００１６】
前述のように、ストレッチ・テープは、上記実施例におけるように細長の長方形状であってもよいし、三角形であってもよいし、瓢箪形の形状であってもよい等、形状や大きさに限定はない。
図３は瓢箪（Ｉ字）形の形状のストレッチ・テープ２０の例を示す平面図である。同図において、４ａ、４ａはテープ基材４の両端部、４ｂは中間部であり、中間部４ｂの裏面には接着層が形成されていないことは言うまでもない。
【産業上の利用可能性】
【００１７】
本考案は、皮膚の一部と、それに近接する他の部分との間を引っ張る、テープ基材の裏面に接着層を形成したストレッチ・テープ、例えば、医療或いは美容のために顔面の皮膚の任意のエリアに緊張力を与え例えば皮膚の弛みをなくしたり、目尻を吊り上げたり、目全体を吊り上げたりするために皮膚に接着されて皮膚をストレッチするストレッチ・テープ一般に産業上の利用可能性がある。
【図面の簡単な説明】
【００１８】
【図１】（Ａ）、（Ｂ）は本考案ストレッチ・テープの一つの実施例を示すもので、（Ａ）はストレッチ・テープの平面図、（Ｂ）は断面図である。
【図２】図１に示す実施例のストレッチ・テープの使用例を示す図である。
【図３】本考案ストレッチ・テープの別の実施例を示す平面図である。
【符号の説明】
【００１９】
２、２０・・・ストレッチ・テープ、
４・・・テープ基材、４ａ・・・両端部、４ｂ・・・中間部、
６・・・接着層。
【図１】
0003129284.tif 000003
【図２】
0003129284.tif 000004
【図３】
0003129284.tif 000005